(57)【要約】【課題】  三つ折り傘の提供。【解決手段】  第１、２及び第３親骨相互間が枢設手段及びカバーにより枢設され、並びに長、短のプルロッドの補助作用により、各親骨と受骨相互間に、快速順調な三段式折り畳み関係が形成され、並びに傘骨、枢設手段及びカバーがプラスチックで形成され、三つ折り傘の傘骨間のリベットによる接合が不要とされ、錆でひっかかったり切断されることがなく、且つ折り畳み後の体積が小さいものとされた。【選択図】        図７
2004223245.tif 000002
【特許請求の範囲】
【請求項１】
傘布と傘骨フレームを具え、該傘骨フレームは、中棒（１１）と、一組の受骨（１５）と、一組の第１親骨（１４）と、一組の第２親骨（１６）と、一組の第３親骨（１７）と、一組の長いプルロッド（５０）と、一組の短いプルロッド（６０）とを具え、
該中棒（１１）は傘の中央を支持し、中棒（１１）の上端に上ろくろ（１２）が設けられ、中棒（１１）の下方に下ろくろ（１３）が設けられ、上ろくろ（１２）に複数の第１親骨（１４）が枢設され、下ろくろ（１３）に複数の受骨（１５）が枢設され、
該一組の受骨（１５）は、その一端に下ろくろ（１３）に枢設される下ろくろ連接手段（２１）が固定され、各受骨（１５）の外端に、第１嵌合枢設手段（４０）が固定され、該第１嵌合枢設手段（４０）の外端部より所定の位置に、貫通する枢設溝（４０２）が設けられ、該枢設溝（４０２）の外端縁に枢設ロッド（４０１）が横設され、第１嵌合枢設手段（４０）の外側表面よりＵ形環（４０５）が突出し、
該一組の第１親骨（１４）は、内端に上ろくろ（１２）に枢設される上ろくろ連接手段（２０）が固定され、該第１親骨（１４）の外端に第２嵌合枢設手段（４１）が固定され、該第２嵌合枢設手段（４１）の外端部より所定の位置に、貫通する枢設溝（４１２）が設けられ、該枢設溝（４１２）の外端縁に枢設ロッド（４１１）が横設され、第２嵌合枢設手段（４１）の外側表面よりＵ形環（４１５）が突出し、第１親骨（１４）の、上ろくろ連接手段（２０）と第２嵌合枢設手段（４１）の間の位置に、第１枢設手段（３０）が嵌合され、該第１枢設手段（３０）が受骨（１５）の第１嵌合枢設手段（４０）の枢設ロッド（４０１）と枢設され、
該一組の第２親骨（１６）は、該一組の第１親骨（１４）に対応する数量が設けられ、各各第２親骨（１６）の内端に第２枢設手段（３１）が嵌合され、該第２枢設手段（３１）が第１親骨（１４）の第２嵌合枢設手段（４１）の枢設ロッド（４１１）と枢設され、並びに第２枢設手段（３１）に穿孔を具えた扁平部が受骨（１５）の方向に向けて延設され、第２親骨（１６）の外端に第３嵌合枢設手段（４２）が固定され、該第３嵌合枢設手段（４２）の外端より所定の距離の位置に貫通する枢設溝（４２２）が設けられ、第３嵌合枢設手段（４２）の枢設溝（４２２）から端部までの間の位置に枢設ロッド（４２１）が横設され、
該一組の第３親骨（１７）は、第１親骨（１４）に対応する数量が設けられ、第３親骨（１７）の内端に、第３枢設手段（３２）が固定され、各第３枢設手段（３２）が第２親骨（１６）の第３嵌合枢設手段（４２）の枢設ロッド（４２１）と枢設され、各第３親骨（１７）の外端が傘布周囲と接続されて傘布を支持し、
該一組の長いプルロッド（５０）は第１親骨（１４）と対応する数量が設けられ、各長いプルロッド（５０）の内端が、第１親骨（１４）の第２嵌合枢設手段（４１）のＵ形環（４１５）に係止され、外端が、対応する第３親骨（１７）の第３枢設手段（３２）の扁平部（３２０１）の穿孔に係止され、これにより第１、第３親骨を牽引するものとされ、  該一組の短いプルロッド（６０）は、受骨（１５）と対応する数量が設けられ、各短いプルロッド（６０）の内端は受骨（１５）の第１嵌合枢設手段（４０）のＵ形環（４０５）に係止され、短いプルロッド（６０）の外端は、第２親骨（１６）の第２枢設手段（３１）の扁平部（３１０１）の穿孔に係止され、これにより、受骨（１４）と第２親骨（１６）を牽引することを特徴とする、三つ折り傘。
【請求項２】
請求項１記載の三つ折り傘において、各受骨（１５）の第１嵌合枢設手段（４０）の中間に貫通溝（４０３）と第１嵌合枢設手段（４０）を未貫通の係止溝（４０４）が設けられ、該貫通溝（４０３）内に、Ｕ形環（４０５）が嵌め込まれ、該Ｕ形環（４０５）の開口両側が水平状に延伸されて係止端（４０５０）、各Ｕ形環（４０５）が対応する第１嵌合枢設手段（４０）の貫通溝（４０３）内に嵌め込まれ、並びに各Ｕ形環（４０５）の水平な係止端（４０５０）が第１嵌合枢設手段（４０）の係止溝（４０４）の底面に当接する時、Ｕ形環（４０５）のＵ形の封閉端が第１嵌合枢設手段（４０）の底面より突出することを特徴とする、三つ折り傘。
【請求項３】
請求項１記載の三つ折り傘において、第１親骨（１４）の第１枢設手段（３０）の上端の二端に、外向きに延伸された第１延伸部（３００）と第２延伸部（３０１）が設けられ、第１延伸部（３００）と第２延伸部（３０１）に相互に連通するように貫通する穿孔（３０００、３０１０）が設けられ、第１枢設手段（３０）の第１延伸部（３００）と第２延伸部（３０１）の間にＵ形凹溝（３０２）が設けられ、該Ｕ形凹溝（３０２）が第１嵌合枢設手段（４０）の枢設ロッド（４０１）と枢設され、並びにＵ形凹溝（３０２）が第１延伸部（３００）と第２延伸部（３０１）の穿孔（３０００、３０１０）と連通し、該Ｕ形凹溝（３０２）内部の、第２延伸部（３０１）側にある側壁に案内斜面（３０３）が形成されたことを特徴とする、三つ折り傘。
【請求項４】
請求項１記載の三つ折り傘において、第１親骨（１４）の第２嵌合枢設手段（４１）の中間に、貫通溝（４１３）と、未貫通の係止溝（４１４）が設けられ、各第２嵌合枢設手段（４１）の貫通溝（４１３）内に、Ｕ形環（４１５）が嵌め置かれ、各Ｕ形環（４１５）の開口側が両側に向けて水平に延伸されて係止端（４１５０）が設けられ、各Ｕ形環（４１５）が対応する第２嵌合枢設手段（４１）の貫通溝（４１３）内に嵌め込まれ、並びに各Ｕ形環（４１５）の水平な係止端（４１５０）が係止溝（４１４）の底面に当接し、そのＵ形を呈する封閉端が第２嵌合枢設手段（４１）の表面より突出することを特徴とする、三つ折り傘。
【請求項５】
請求項１記載の三つ折り傘において、第２親骨（１６）の第２枢設手段（３１）の中間に、第２嵌合枢設手段（４１）の枢設ロッド（４１１）と枢設される凹溝（３１２）が凹設され、該凹溝（３１２）の両端が、それぞれ外向きに延伸されて第１延伸部（３１０）及び第２延伸部（３１１）とされ、この第１延伸部（３１０）の自由端より板状の扁平部（３１０１）が延伸され、扁平部（３１０１）の自由端に穿孔（３１０２）が設けられ、第２枢設手段（３１）の凹溝（３１２）の第２延伸部（３１１）の側にある側壁に、斜めに案内斜面（３１３）が形成され、各第２枢設手段（３１）の凹溝（３１２）の第１延伸部（３１０）に対応する位置に、嵌め孔（３１００）が設けられ、凹溝（３１２）の案内斜面（３１３）より第２延伸部（３１１）を貫通する穿孔（３１１０）が設けられたことを特徴とする、三つ折り傘。
【請求項６】
請求項１記載の三つ折り傘において、第３親骨（１７）の第３枢設手段（３２）の中間位置に第３嵌合枢設手段（４２）の枢設ロッド（４２１）と枢設される凹溝（３２２）が設けられ、その二側上端が外向きに延伸されて第１延伸部（３２０）と第２延伸部（３２１）が設けられ、第１延伸部（３２０）の自由端より板状の扁平部（３２０１）が延伸され、扁平部（３２０１）の自由端に貫通する穿孔（３２０２）が設けられ、第３枢設手段（３２）の該凹溝（３２２）位置の第２延伸部（３２１）の側壁位置に、斜めに案内斜面（３２３）が形成され、並びに第３枢設手段（３２）の凹溝の第１延伸部（３２０）に対応する位置に、嵌め孔（３２００）が凹設され、並びに凹溝（３２２）の案内斜面（３２３）に第２延伸部（３２１）を貫通する穿孔（３２１０）が設けられたことを特徴とする、三つ折り傘。
【請求項７】
請求項１記載の三つ折り傘において、上ろくろ（１２）、下ろくろ（１３）、上ろくろ連接手段（２０）、下ろくろ連接手段（２１）、第１枢設手段（３０）、第２枢設手段（３１）、第３枢設手段（３２）、第１嵌合枢設手段（４０）、第２嵌合枢設手段（４１）及び第３嵌合枢設手段（４２）がプラスチック材料で形成されたことを特徴とする、三つ折り傘。
【請求項８】
請求項１記載の三つ折り傘において、第１親骨（１４）、第２親骨（１６）、第３親骨（１７）及び受骨（１５）がプラスチック材料で形成されたことを特徴とする、三つ折り傘。
【請求項９】
請求項１記載の三つ折り傘において、長いプルロッド（５０）、短いプルロッド（６０）がスチールワイヤを折り曲げて形成されたことを特徴とする、三つ折り傘。
【請求項１０】
請求項１記載の三つ折り傘において、第２枢設手段（３１）、第３枢設手段（３２）の内端の延伸部が湾曲扁平部に形成されたことを特徴とする、三つ折り傘。
【発明の詳細な説明】
【技術分野】
【０００１】
本発明は一種の三つ折り傘に係り、特に、強化傘骨を具え、組立が敏捷に行なえ、且つ折り畳み後の体積が小さい三つ折り傘に関する。
【背景技術】
【０００２】
現在、傘の技術領域中、多くの傘が折り畳み傘の構造を改良しており、そのうち典型的な三つ折り式折り畳み傘は、図８に示されるようであり、親骨７０の各関節７１−７７に対して、一般のリベット接合の方式で接続しており、製造上、煩瑣なリベッティングと半人工操作がなければ組み立てられない。且つ各関節７１−７７のリベッティング品質は制御しにくく、一つの折り畳み傘に４２から５６個の枢設関節があり、そのうち一つの関節に製造上の品質制御不良が発生した場合に、三つ折り傘の傘骨に、ある期間使用後に、関節の錆によるひっかかりを形成させやすくなり、且つそのリベット接合された部分に応力が集中し、僅かな力を受けるだけで傘骨が折れやすくなる恐れがある。
【０００３】
ガラス繊維強化プラスチック（ＦＲＰ；Ｆｉｂｅｒｇｌａｓｓ  Ｒｅｉｎｆｏｒｃｅｄ  Ｐｌａｓｃｉｃｓ）材料で製造された傘は、傘骨のリベット接合の、錆を発生しやすい欠点を解決することができる。しかし、ＦＲＰ傘の傘骨構造は、傘のフレームの支持応力を考慮し、一般に円棒体に形成され、ＦＲＰ円棒体は傘のろくろ及び傘骨間と枢設できるようにするため、両端及び中間に、プラスチック連接手段及び枢設手段を組み合わせる必要がある。このため傘のフレームが相当に大きくなり、収納、包装及び運輸のいずれにおいても困難が発生する。ゆえに、一般にＦＲＰ傘はいずれも折り畳み不能の大型ゴルフ用パラソル等に採用され、ＦＲＰ傘は既に２０数年の歴史があるものの、一般用の折り畳み式ＦＲＰ傘は市場に出現していない。
【発明の開示】
【発明が解決しようとする課題】
【０００４】
本発明の主要な目的は、一種の三つ折り傘を提供することにあり、それは、折り畳みが順調に行なえ、ひっかかりを発生しにくい傘であるものとする。
【０００５】
本発明のもう一つの目的は、一種の三つ折り傘を提供することにあり、それは、フレームが軽くコンパクトで収納、包装、及び運輸に便利である三つ折り傘であるものとする。
【０００６】
本発明のまた一つの目的は、一種の三つ折り傘を提供することにあり、それは、傘骨のフレームが強化され耐用性を有する三つ折り傘であるものとする。
【課題を解決するための手段】
【０００７】
請求項１の発明は、傘布と傘骨フレームを具え、該傘骨フレームは、中棒（１１）と、一組の受骨（１５）と、一組の第１親骨（１４）と、一組の第２親骨（１６）と、一組の第３親骨（１７）と、一組の長いプルロッド（５０）と、一組の短いプルロッド（６０）とを具え、
該中棒（１１）は傘の中央を支持し、中棒（１１）の上端に上ろくろ（１２）が設けられ、中棒（１１）の下方に下ろくろ（１３）が設けられ、上ろくろ（１２）に複数の第１親骨（１４）が枢設され、下ろくろ（１３）に複数の受骨（１５）が枢設され、
該一組の受骨（１５）は、その一端に下ろくろ（１３）に枢設される下ろくろ連接手段（２１）が固定され、各受骨（１５）の外端に、第１嵌合枢設手段（４０）が固定され、該第１嵌合枢設手段（４０）の外端部より所定の位置に、貫通する枢設溝（４０２）が設けられ、該枢設溝（４０２）の外端縁に枢設ロッド（４０１）が横設され、第１嵌合枢設手段（４０）の外側表面よりＵ形環（４０５）が突出し、
該一組の第１親骨（１４）は、内端に上ろくろ（１２）に枢設される上ろくろ連接手段（２０）が固定され、該第１親骨（１４）の外端に第２嵌合枢設手段（４１）が固定され、該第２嵌合枢設手段（４１）の外端部より所定の位置に、貫通する枢設溝（４１２）が設けられ、該枢設溝（４１２）の外端縁に枢設ロッド（４１１）が横設され、第２嵌合枢設手段（４１）の外側表面よりＵ形環（４１５）が突出し、第１親骨（１４）の、上ろくろ連接手段（２０）と第２嵌合枢設手段（４１）の間の位置に、第１枢設手段（３０）が嵌合され、該第１枢設手段（３０）が受骨（１５）の第１嵌合枢設手段（４０）の枢設ロッド（４０１）と枢設され、
該一組の第２親骨（１６）は、該一組の第１親骨（１４）に対応する数量が設けられ、各各第２親骨（１６）の内端に第２枢設手段（３１）が嵌合され、該第２枢設手段（３１）が第１親骨（１４）の第２嵌合枢設手段（４１）の枢設ロッド（４１１）と枢設され、並びに第２枢設手段（３１）に穿孔を具えた扁平部が受骨（１５）の方向に向けて延設され、第２親骨（１６）の外端に第３嵌合枢設手段（４２）が固定され、該第３嵌合枢設手段（４２）の外端より所定の距離の位置に貫通する枢設溝（４２２）が設けられ、第３嵌合枢設手段（４２）の枢設溝（４２２）から端部までの間の位置に枢設ロッド（４２１）が横設され、
該一組の第３親骨（１７）は、第１親骨（１４）に対応する数量が設けられ、第３親骨（１７）の内端に、第３枢設手段（３２）が固定され、各第３枢設手段（３２）が第２親骨（１６）の第３嵌合枢設手段（４２）の枢設ロッド（４２１）と枢設され、各第３親骨（１７）の外端が傘布周囲と接続されて傘布を支持し、
該一組の長いプルロッド（５０）は第１親骨（１４）と対応する数量が設けられ、各長いプルロッド（５０）の内端が、第１親骨（１４）の第２嵌合枢設手段（４１）のＵ形環（４１５）に係止され、外端が、対応する第３親骨（１７）の第３枢設手段（３２）の扁平部（３２０１）の穿孔に係止され、これにより第１、第３親骨を牽引するものとされ、  該一組の短いプルロッド（６０）は、受骨（１５）と対応する数量が設けられ、各短いプルロッド（６０）の内端は受骨（１５）の第１嵌合枢設手段（４０）のＵ形環（４０５）に係止され、短いプルロッド（６０）の外端は、第２親骨（１６）の第２枢設手段（３１）の扁平部（３１０１）の穿孔に係止され、これにより、受骨（１４）と第２親骨（１６）を牽引することを特徴とする、三つ折り傘としている。
請求項２の発明は、請求項１記載の三つ折り傘において、各受骨（１５）の第１嵌合枢設手段（４０）の中間に貫通溝（４０３）と第１嵌合枢設手段（４０）を未貫通の係止溝（４０４）が設けられ、該貫通溝（４０３）内に、Ｕ形環（４０５）が嵌め込まれ、該Ｕ形環（４０５）の開口両側が水平状に延伸されて係止端（４０５０）、各Ｕ形環（４０５）が対応する第１嵌合枢設手段（４０）の貫通溝（４０３）内に嵌め込まれ、並びに各Ｕ形環（４０５）の水平な係止端（４０５０）が第１嵌合枢設手段（４０）の係止溝（４０４）の底面に当接する時、Ｕ形環（４０５）のＵ形の封閉端が第１嵌合枢設手段（４０）の底面より突出することを特徴とする、三つ折り傘としている。
請求項３の発明は、請求項１記載の三つ折り傘において、第１親骨（１４）の第１枢設手段（３０）の上端の二端に、外向きに延伸された第１延伸部（３００）と第２延伸部（３０１）が設けられ、第１延伸部（３００）と第２延伸部（３０１）に相互に連通するように貫通する穿孔（３０００、３０１０）が設けられ、第１枢設手段（３０）の第１延伸部（３００）と第２延伸部（３０１）の間にＵ形凹溝（３０２）が設けられ、該Ｕ形凹溝（３０２）が第１嵌合枢設手段（４０）の枢設ロッド（４０１）と枢設され、並びにＵ形凹溝（３０２）が第１延伸部（３００）と第２延伸部（３０１）の穿孔（３０００、３０１０）と連通し、該Ｕ形凹溝（３０２）内部の、第２延伸部（３０１）側にある側壁に案内斜面（３０３）が形成されたことを特徴とする、三つ折り傘としている。
請求項４の発明は、請求項１記載の三つ折り傘において、第１親骨（１４）の第２嵌合枢設手段（４１）の中間に、貫通溝（４１３）と、未貫通の係止溝（４１４）が設けられ、各第２嵌合枢設手段（４１）の貫通溝（４１３）内に、Ｕ形環（４１５）が嵌め置かれ、各Ｕ形環（４１５）の開口側が両側に向けて水平に延伸されて係止端（４１５０）が設けられ、各Ｕ形環（４１５）が対応する第２嵌合枢設手段（４１）の貫通溝（４１３）内に嵌め込まれ、並びに各Ｕ形環（４１５）の水平な係止端（４１５０）が係止溝（４１４）の底面に当接し、そのＵ形を呈する封閉端が第２嵌合枢設手段（４１）の表面より突出することを特徴とする、三つ折り傘としている。
請求項５の発明は、請求項１記載の三つ折り傘において、第２親骨（１６）の第２枢設手段（３１）の中間に、第２嵌合枢設手段（４１）の枢設ロッド（４１１）と枢設される凹溝（３１２）が凹設され、該凹溝（３１２）の両端が、それぞれ外向きに延伸されて第１延伸部（３１０）及び第２延伸部（３１１）とされ、この第１延伸部（３１０）の自由端より板状の扁平部（３１０１）が延伸され、扁平部（３１０１）の自由端に穿孔（３１０２）が設けられ、第２枢設手段（３１）の凹溝（３１２）の第２延伸部（３１１）の側にある側壁に、斜めに案内斜面（３１３）が形成され、各第２枢設手段（３１）の凹溝（３１２）の第１延伸部（３１０）に対応する位置に、嵌め孔（３１００）が設けられ、凹溝（３１２）の案内斜面（３１３）より第２延伸部（３１１）を貫通する穿孔（３１１０）が設けられたことを特徴とする、三つ折り傘としている。
請求項６の発明は、請求項１記載の三つ折り傘において、第３親骨（１７）の第３枢設手段（３２）の中間位置に第３嵌合枢設手段（４２）の枢設ロッド（４２１）と枢設される凹溝（３２２）が設けられ、その二側上端が外向きに延伸されて第１延伸部（３２０）と第２延伸部（３２１）が設けられ、第１延伸部（３２０）の自由端より板状の扁平部（３２０１）が延伸され、扁平部（３２０１）の自由端に貫通する穿孔（３２０２）が設けられ、第３枢設手段（３２）の該凹溝（３２２）位置の第２延伸部（３２１）の側壁位置に、斜めに案内斜面（３２３）が形成され、並びに第３枢設手段（３２）の凹溝の第１延伸部（３２０）に対応する位置に、嵌め孔（３２００）が凹設され、並びに凹溝（３２２）の案内斜面（３２３）に第２延伸部（３２１）を貫通する穿孔（３２１０）が設けられたことを特徴とする、三つ折り傘としている。
請求項７の発明は、請求項１記載の三つ折り傘において、上ろくろ（１２）、下ろくろ（１３）、上ろくろ連接手段（２０）、下ろくろ連接手段（２１）、第１枢設手段（３０）、第２枢設手段（３１）、第３枢設手段（３２）、第１嵌合枢設手段（４０）、第２嵌合枢設手段（４１）及び第３嵌合枢設手段（４２）がプラスチック材料で形成されたことを特徴とする、三つ折り傘としている。
請求項８の発明は、請求項１記載の三つ折り傘において、第１親骨（１４）、第２親骨（１６）、第３親骨（１７）及び受骨（１５）がプラスチック材料で形成されたことを特徴とする、三つ折り傘としている。
請求項９の発明は、請求項１記載の三つ折り傘において、長いプルロッド（５０）、短いプルロッド（６０）がスチールワイヤを折り曲げて形成されたことを特徴とする、三つ折り傘としている。
請求項１０の発明は、請求項１記載の三つ折り傘において、第２枢設手段（３１）、第３枢設手段（３２）の内端の延伸部が湾曲扁平部に形成されたことを特徴とする、三つ折り傘としている。
【発明の効果】
【０００８】
本発明の三つ折り傘は、第１、２及び第３親骨相互間が枢設手段及び嵌合枢設手段により折り畳み関係を形成できるように枢設され、並びに長短のプルロッドの作用により、相互間が快速順調な三段式折り畳みを形成できるものとされ、ＦＲＰ折り畳み傘の傘骨間のリベット接合の必要がなく、錆による引っ掛かりの問題がなく、折り畳み傘が強化され耐用性を有するものとされ、折り畳み傘の活動が更に順調とされている。
【発明を実施するための最良の形態】
【０００９】
本発明の三つ折り傘は、中棒、一組の受骨、一組の第１親骨、一組の第２親骨、一組の第３親骨、一組の長いプルロッド、一組の短いプルロッドで構成されている。
【００１０】
該中棒は、傘の中央を支持し、該中棒の上端に上ろくろが設けられ、中棒にあって上ろくろの下方に下ろくろが設けられ、上ろくろと下ろくろに等角配置された複数の割り溝が設けられ、上ろくろに複数の第１親骨が枢設され、下ろくろに複数の受骨が枢設されている。
【００１１】
本発明の特徴は以下のとおりである。
該一組の受骨は下ろくろの割り溝に対応する数量が設けられ、そのうち、各受骨は一端に固定された下ろくろ連接手段により、下ろくろの対応する割り溝中に枢設され、並びに各受骨の別端に第１嵌合枢設手段が固定され、各第１嵌合枢設手段の端部より所定の位置に、貫通する枢設溝が設けられ、該枢設溝の端縁間に、枢設ロッドが横向きに設けられ、第１嵌合枢設手段にあって中棒との対向面と反対の表面より、Ｕ形の閉じた環状部を具えたＵ形環が突出し、
該一組の第１親骨は、上ろくろの割り溝に対応する数量が設けられ、各第１親骨は一端に固定された上ろくろ連接手段により上ろくろの対応する割り溝に枢設され、第１親骨の別端に第２嵌合枢設手段が接続され、第２嵌合枢設手段の端部より所定の位置に、貫通する枢設溝が設けられ、第２嵌合枢設手段の枢設溝から端縁の間の位置に、枢設ロッドが横向きに設けられ、第２嵌合枢設手段の中棒との対向面と反対側の面より、Ｕ形環のＵ形の閉じた環状部が突出し、並びに第１親骨の上ろくろ連接手段と第２嵌合枢設手段の間の位置に、第１枢設手段が嵌合され、各第１枢設手段に受骨の枢設ロッドが嵌め置かれて枢設状態を形成し、
該第２親骨は、第１親骨に対応する数量が設けられ、各第２親骨の第１親骨に対応する一端に、第２枢設手段が嵌合されて第１親骨の第２嵌合枢設手段との枢設に供され、第２枢設手段に受骨の方向に向けて穿孔を具えた扁平部が延設され、第２親骨の別端に第３嵌合枢設手段が固定され、該第３嵌合枢設手段の端部より所定の距離離れた位置に貫通する枢設溝が設けられ、第３嵌合枢設手段の枢設溝から端部までの間の位置に枢設ロッドが横向きに設けられ、
該第３親骨は、第１親骨に対応する数量が設けられ、第３親骨の、第２親骨に対応する一端に、第３枢設手段が固定され、各第３枢設手段が第２親骨の第３嵌合枢設手段の枢設ロッドの嵌め置きに供されて枢設状態を形成し、各第３親骨の別端が傘布周囲と接続されて傘布を支持し、
該長いプルロッドは第１親骨と対応する数量が設けられ、各長いプルロッドの一端が、第１親骨の第２嵌合枢設手段のＵ形環に係止され、別端が、第３親骨の第３枢設手段の扁平部の穿孔に枢設され、これにより第１、第３親骨を牽引するものとされ、
該短いプルロッドは、受骨と対応する数量が設けられ、各短いプルロッドの一端は受骨の第１嵌合枢設手段のＵ形環に係止され、短いプルロッドの別端は、第２親骨の第２枢設手段の扁平部の穿孔に係止され、これにより、受骨と第２親骨を牽引する。
【実施例１】
【００１２】
図１、２及び図３に示されるように、本発明は折り畳み傘１０の中棒１１の上端に、複数の割り溝１２０が等角配置された上ろくろ１２が設けられ、中棒１１にあって、上ろくろ１２の下方に複数の割り溝１３０が等角配置された下ろくろ１３が設けられている。
【００１３】
該上ろくろ１２、下ろくろ１３の各割り溝１２０、１３０内に、プラスチック製の上ろくろ連接手段２０と下ろくろ連接手段２１が枢設され、上ろくろ連接手段２０と下ろくろ連接手段２１の内端に扁平部２００、２１０が設けられ、これにより上ろくろ連接手段２０と下ろくろ連接手段２１がそれぞれ上ろくろ１２、下ろくろ１３の対応する割り溝１２０、１３０中に枢設されて回転可能とされる。上ろくろ連接手段２０と下ろくろ連接手段２１の外端には挿入孔２０１、２１１が凹設され、それぞれ第１親骨１４と受骨１５が挿入される。
【００１４】
図１、２、及び図３に示されるように、各上ろくろ連接手段２０に挿入された各第１親骨１４に、第１枢設手段３０が嵌合され、該第１枢設手段３０の中間にＵ形凹溝３０２が凹設され、該Ｕ形凹溝３０２の二端はそれぞれ外向きに延伸された円棒状の第１延伸部３００及び第２延伸部３０１とされ、該第１延伸部３００、第２延伸部３０１に相互に連通する穿孔３０００、３０１０が設けられ（図１、３）、該Ｕ形凹溝３０２と第１延伸部３００、第２延伸部３０１の穿孔３０００、３０１０が相互に連通し、該Ｕ形凹溝３０２内部の第２延伸部３０１の側にある側壁に、斜めに案内斜面３０３が形成されている（図３）。
【００１５】
同様に図１から図３に示されるように、各下ろくろ連接手段２１に挿入された各受骨１５の末端にも、第１嵌合枢設手段４０が設けられ、各第１嵌合枢設手段４０は扁平なブロック体とされ、各第１嵌合枢設手段４０の内端は受骨１５端部を嵌入させる挿入孔４００とされ、その外端の設定位置部分に、上下に貫通する枢設溝４０２が設けられ、並びに枢設溝４０２の端縁間に、第１枢設手段３０のＵ形凹溝３０２内に嵌入可能な枢設ロッド４０１（図３）が横向きに設けられている。
【００１６】
また、各第１嵌合枢設手段４０の上面中央に、該第１嵌合枢設手段４０を貫通する貫通溝４０３と第１嵌合枢設手段４０を未貫通の係止溝４０４が設けられ（図１、３）、各第１嵌合枢設手段４０の貫通溝４０３内に、Ｕ形環４０５が嵌め込まれ、各Ｕ形環４０５の開口側は、両側に向けて水平に延伸された二つの係止端４０５０とされ（図１、３）、これにより各Ｕ形環４０５が各第１嵌合枢設手段４０の貫通溝４０３内に嵌め込まれ、並びに各Ｕ形環４０５の水平な係止端４０５０が第１嵌合枢設手段４０の係止溝４０４の底面に当接する時、そのＵ形の封閉端が第１嵌合枢設手段４０の底面より突出する（図３）。
【００１７】
図１から図３に示されるように、各第１親骨１４の末端にはプラスチック製の扁平なブロックである第２嵌合枢設手段４１が接続され、そのうち、各第２嵌合枢設手段４１の内端は、対応する第１親骨１４末端が嵌入固定される挿入孔４１０とされ、各第２嵌合枢設手段４１の外端の設定位置に、貫通する矩形の枢設溝４１２が設けられ、並びに各枢設溝４１２の外端に、枢設ロッド４１１（図３）が横向きに設けられている。
【００１８】
各第２嵌合枢設手段４１の中央に、貫通溝４１３と、未貫通の係止溝４１４が設けられ（図３）、各第２嵌合枢設手段４１の貫通溝４１３内に、Ｕ形環４１５が嵌め置かれ、各Ｕ形環４１５の開口側は、両側に向けて水平に延伸された係止端４１５０とされ、各Ｕ形環４１５が第２嵌合枢設手段４１の貫通溝４１３内に嵌め込まれ、並びに各Ｕ形環４１５の水平な係止端４１５０が係止溝４１４の底面に当接する時、そのＵ形を呈する封閉端が第２嵌合枢設手段４１のもう一つの側面より突出する（図３）。
【００１９】
図１から図３に示されるように、本発明の折り畳み傘１０は、第１親骨１４の数量に対応する数量の第２親骨１６を具え、そのうち、各第２親骨１６の内端に、プラスチック製の第２枢設手段３１が接続され、該第２枢設手段３１中間に第２嵌合枢設手段４１の枢設ロッド４１１が挿入される凹溝３１２が凹設され、該凹溝３１２の両端が、それぞれ外向きに延伸された円棒状の第１延伸部３１０及び第２延伸部３１１とされ、該第１延伸部３１０の自由端より板状の湾曲扁平部３１０１が延伸され、湾曲扁平部３１０１の自由端に穿孔３１０２が設けられている。
【００２０】
また、第２枢設手段３１の凹溝３１２の第２延伸部３１１の側にある側壁に、斜めに案内斜面３１３が形成され、各第２枢設手段３１の凹溝３１２の第１延伸部３１０に対応する位置に、嵌め孔３１００が設けられ、さらに凹溝３１２の案内斜面３１３より第２延伸部３１１を貫通する穿孔３１１０が設けられ、並びにこのＵ形の凹溝３１２が嵌め孔３１００と穿孔３１１０位置よりも深く陥没した状態を呈する（図３）。
【００２１】
同様に図１から図３に示されるように、各第２親骨１６の外端に、プラスチック製の第３嵌合枢設手段４２が嵌合され、各第３嵌合枢設手段４２の内端は、第２親骨１６の外端が嵌入固定される挿入孔４２０とされ、各第３嵌合枢設手段４２の上面の設定位置部分に、上下に貫通する矩形の枢設溝４２１が設けられ、各枢設溝４２１の外端縁に横向きに円形棒状の枢設ロッド４２２が設けられている（図３）。
【００２２】
図１から図３に示されるように、本発明の折り畳み傘１０は、第１親骨１４に対応する数量の第３親骨１７を具え、各第３親骨１７の内端にはプラスチック製の第３枢設手段３２が接続され、各第３親骨１７の外端は、傘布の周縁に接続され、これにより傘布が支持される（この部分は周知の傘と同じであるため、説明を簡略化し、並びに図示しない）。
【００２３】
同様に、図１、２に示されるように、各第３親骨１７の第３枢設手段３２の中間位置に第３嵌合枢設手段４２の枢設ロッド４２１が挿入される凹溝３２２が設けられ、その二側上端が外向きに延伸されて第１延伸部３２０と第２延伸部３２１が設けられ、第１延伸部３２０の自由端より板状の湾曲扁平部３２０１が延伸され、湾曲扁平部３２０１の自由端に貫通する穿孔３２０２が設けられている。各第３枢設手段３２の該凹溝３２２位置の第２延伸部３２１の側壁位置に、斜めに案内斜面３２３が形成され、並びに第３枢設手段３２の凹溝の第１延伸部３２０に対応する位置に、嵌め孔３２００が凹設され、並びに凹溝３２２の案内斜面３２３に第２延伸部３２１を貫通する穿孔３２１０が設けられ、並びに凹溝３２２が、嵌め孔３２００、穿孔３２１０より深く陥没した状態を呈する（図３）。
【００２４】
図１から図４に示されるように、本発明の折り畳み傘１０は、組立時に、第１親骨１４の数量に対応する数量の長いプルロッド５０により、第１親骨１４の第２嵌合枢設手段４１と第３親骨１７が連接される。そのうち、該長いプルロッド５０は、細長い棒体とされ、長いプルロッド５０の両端部に、Ｃ形に折り曲げられた第１係止部５１と第２係止部５２が設けられている（図１）。長いプルロッド５０の第１係止部５１が、第２嵌合枢設手段４１より突出するＵ形環４１５の閉じた環状部分に係止され（図３及び図４）、長いプルロッド５０の第２係止部５２は、第３枢設手段３２の湾曲扁平部３２０１の穿孔３２０２中に係止され、これにより、第１親骨１４と第３親骨１７が長いプルロッド５０により相互に牽引するものとされる。
【００２５】
このほか、本発明はまた、受骨１５数量に対応する数量の短いプルロッド６０により、受骨１５の第１嵌合枢設手段４０及び第２親骨１６の第２枢設手段３１が連接される。そのうち、該短いプルロッド６０は細長い棒体とされ、並びに両端部にＣ形に折り曲げられた第１係止部６１と第２係止部６２が設けられている（図１）。短いプルロッド６０の第１係止部６１が、第１嵌合枢設手段４０より突出するＵ形環４０５の閉じた環状部分に係止され（図３及び図４）、短いプルロッド６０の第２係止部６２は、第２枢設手段３１の湾曲扁平部３１０１の穿孔３１０２中に係止され（図３）、これにより、受骨１５と第２親骨１６が相互に牽引するものとされる。
【００２６】
さらに図１から図４に示されるように、使用者が折り畳み傘１０を展開して使用する時、図４の状態が形成され、使用者が折り畳み傘１０を折り畳む時は、図７の状態が形成される。即ち、この時、下ろくろ１３が中棒１１に沿って下向きにスライドし（図４の矢印Ａ１に示されるとおり）、並びに受骨１５が駆動されて下向きに引っ張り力を形成し、並びに第１親骨１４及び受骨１５下向きに回転する力を形成し、これにより第１親骨１４が長いプルロッド５０により第３親骨１７を下向き内向きに引き動かして折り畳み、受骨１５が短いプルロッド６０により第２親骨１６を引っ張り上向き内向きに折り畳み（図４から図３の矢印Ａ２のとおり）、三段式の折り畳み形態が形成される。このような実施態様により、本発明の三つ折り傘は快速且つ順調な折り畳み及び展開機能を達成する。
【００２７】
ここで説明すべきことは、本発明の三つ折り傘の第２枢設手段３１と第３枢設手段３２の内端の延伸部にはいずれも湾曲扁平部が形成され、これにより傘骨折り畳み後の体積を縮小できることであり、これは図５−図７に示されるとおりである。また、第１嵌合枢設手段４０、第２嵌合枢設手段４１、第３嵌合枢設手段４２の、第１枢設手段３０、第２枢設手段３１、及び第３枢設手段３２に対向する一面にそれぞれ凹部４０６、４１６、４２６が設けられ、これにより傘の折り畳みが更に順調とされ、且つ傘の折り畳み後に相互に平行に重畳し、傘骨折り畳み後の体積を大幅に縮小し、これは図５−７に示されるとおりである。
【図面の簡単な説明】
【００２８】
【図１】本発明の好ましい実施例の分解斜視図である。
【図２】本発明の好ましい実施例の斜視図である。
【図３】本発明の折り畳み時の側面図である。
【図４】本発明の展開時の側面図である。
【図５】本発明の第１枢設手段と第１嵌合枢設手段の折り畳み時の側面図である。
【図６】本発明の第２、第３枢設手段と第２、第３嵌合枢設手段の折り畳み時の側面図である。
【図７】本発明の実施例の折り畳み時の側面図である。
【図８】周知の三つ折り傘の側面図である。
【符号の説明】
【００２９】
１０  折り畳み傘                １１  中棒
１２  上ろくろ                  １３  下ろくろ
１２０、１３０  割り溝
１４  第１親骨
１６  第２親骨
１７  第３親骨
１５  受骨
２０  上ろくろ連接手段
２１  下ろくろ連接手段
２００、２１０  扁平部
２０１、２１１  挿入孔
３０  第１枢設手段
３１  第２枢設手段
３２  第３枢設手段
３０００  第１穿孔
３０１０  第２穿孔
３０２、３１２、３２２  Ｕ形凹溝
３００、３１０、３２０  第１延伸部
３０１、３１１、３２１  第２延伸部
３０３、３１３、３２３  案内斜面
４０  第１嵌合枢設手段
４１  第２嵌合枢設手段
４２  第３嵌合枢設手段
３１００、３２００  嵌め孔
３１０２、３１１０、３２０２、３２１０  穿孔
３１０１、３２０１  湾曲扁平部
４００  挿入孔
４０６、４１６、４２６  凹部
４０１、４１１、４２２  枢設ロッド
４０２、４１２、４２１  枢設溝
４０３、４１３  貫通溝
４０４、４１４  係止溝
４０５、４１５  Ｕ形環
４０５０、４１５０  係止端
４１０  挿入孔
５０  長いプルロッド
６０  短いプルロッド
５１、６１  第１係止部
５２、６２  第２係止部
【図１】
2004223245.tif 000003
【図２】
2004223245.tif 000004
【図３】
2004223245.tif 000005
【図４】
2004223245.tif 000006
【図５】
2004223245.tif 000007
【図６】
2004223245.tif 000008
【図７】
2004223245.tif 000009
【図８】
2004223245.tif 000010